(57)【要約】【課題】返却する図書の収納位置を間違えても、その新たな位置情報にＲＦＩＤタグ、コンピュータおよび図書データベースを自動的に書換える。【解決手段】返却時に間違った棚板１８に収納された図書１５のＲＦＩＤタグ１６に予め登録された位置情報を、ＨＦアンテナ１９を介してＲＦＩＤリーダー／ライター１７で読み取り、その位置情報をコンピュータ３に送信し、前記間違って収納した棚板１８の棚列番号および棚段番号が、前記ＲＦＩＤタグ１６に登録された位置情報と一致しない場合、現に図書１５が収納されている棚列番号および棚段番号に自動的にコンピュータ３および図書データベース２０の位置情報を書換えると共に、前記コンピュータ３からＲＦＩＤリーダー／ライター１７およびＨＦアンテナ１９を介して、図書１５のＲＦＩＤタグ１６の位置情報を自動的に書換える。【選択図】図１
2014101170.tif 000002
【特許請求の範囲】
【請求項１】
図書館の各図書の書誌情報と、各図書が収納されている位置情報のうち、少なくとも前記位置情報を記録したＲＦＩＤタグが各図書に取付けられると共に、該ＲＦＩＤタグにタグ情報を記録するＲＦＩＤリーダー／ライターを前記各移動棚に備え、且つ前記各移動棚の図書を載置する棚板に高周波信号を受送信するＨＦアンテナが設置され、更に、前記各図書の書誌情報および位置情報を記録したコンピュータおよび図書データベースを備えた電動式移動棚装置において、利用者が図書の返却時に間違った棚板に収納した時、該間違った棚板に収納された図書のＲＦＩＤタグに予め登録された位置情報を前記ＨＦアンテナを介してＲＦＩＤリーダー／ライターで読み取り、その位置情報をコンピュータに送信し、前記間違って収納した棚板の棚列番号および棚段番号が、前記ＲＦＩＤタグに登録された位置情報と一致しない場合、現に図書が収納されている棚列番号および棚段番号に前記コンピュータの位置情報を自動的に書換えると共に、該コンピュータから前記書換えた位置情報を図書管理システムを介して図書データベースに送信して、該図書データベースの情報を書換え、更に、前記コンピュータからＲＦＩＤリーダー／ライターおよびＨＦアンテナを介して、図書のＲＦＩＤタグの位置情報を自動的に書換えるようにしたことを特徴とするＲＦＩＤシステムを用いる図書館における電動式移動棚装置。
【発明の詳細な説明】
【技術分野】
【０００１】
本発明は、図書館において、図書を収納する電動式移動棚装置に関し、より詳細には、ＲＦＩＤシステムを利用することにより、返却する図書の収納位置を間違えてもその新たな位置情報に直ちにＲＦＩＤタグ、コンピュータおよび図書データベースを自動的に書換え、該電動式移動棚装置に収納された図書の管理を正確に行うことができるＲＦＩＤシステムを用いる図書館における電動式移動棚装置に関するものである。
【背景技術】
【０００２】
従来、図書館は膨大な図書を有し、その図書を保管するために、保管効率を高める目的から複数の電動式移動棚を利用して図書を保管している。一方、膨大な図書類を管理するため、図書館では、各図書の情報をデータベース化し管理する図書管理システムが構築され、各図書はあらかじめ決められた分類方式に従ってデータベース化し、定められた移動棚に収納、保管されている。そして、利用者がこれらの図書類を移動棚より取り出すためには、前記図書管理システムを利用して、目的の図書の検索を行い、保管されている場所を検索し、保管されている移動棚を所定の位置に移動させて作業用通路を形成し、利用者が該作業用通路に進入して目的の図書を取り出していた。
【０００３】
一方、ＲＦＩＤタグを使用する図書館用移動棚装置に関し、過去の特許文献を遡及検索したところ、下記の特許文献１に示すシステムが開示されている。前記特許文献１に示すシステムは、各移動棚にＲＦＩＤタグ付き本を収納し、該ＲＦＩＤタグに記録されたタグ情報を認識するためのＲＦＩＤリーダーを備えると共に、前記各移動棚の棚板に前記ＲＦＩＤリーダーと連結するＵＨＦ用アンテナに設置して形成されている。
【先行技術文献】
【特許文献】
【０００４】
【特許文献１】特開２０１０−２２７５６９号公報
【発明の概要】
【発明が解決しようとする課題】
【０００５】
前記従来の図書館における複数の電動式移動棚を利用する図書管理システムでは、利用者が返却する図書の収納棚を間違えると、その図書を捜すのに手間がかかり迅速に対応できないという課題があった。
【０００６】
更に、前記特許文献１記載の発明においては、その公報の段落（００３３）に「ＲＦＩＤタグ１１４から記録信号を受信して、ＲＦＩＤタグに記録されたタグ情報を修正することも可能である。すなわち、本Ｐについての情報の修正が必要な場合に、収納された本Ｐを取り出さずに本Ｐの情報を修正することができる。」と記載されているが、「修正することも可能である」との記載から、この「修正」はサーバー（図書データベース）３００を作動して、手動で修正するという内容であり、利用者が返却する図書の収納棚を間違えた場合に、その新たに収納した棚の位置情報にＲＦＩＤタグおよび図書データベースを自動的に直ちに書換えるという手段を備えておらず、極めて不便であるという課題があった。
【０００７】
本発明は、前記課題を解決すべくなされたものであって、図書館の各図書の図書名、著者名、分類番号等の書誌情報と、各図書が収納されている棚列番号および棚段番号の位置情報のうち、少なくとも前記位置情報を記録したＲＦＩＤタグが各図書に取付けられると共に、該ＲＦＩＤタグにタグ情報を記録するＲＦＩＤリーダー／ライターを前記各移動棚に備え、且つ前記各移動棚の図書を載置する棚板に高周波信号を受送信するＨＦアンテナが設置され、更に、前記各図書の前記書誌情報および位置情報を記録したコンピュータおよび図書データベースを備えた電動式移動棚装置において、利用者が移動棚から所望の図書を取り出し、該図書を用いた所定の業務の完了後、前記図書を返却すべく収納棚に収納する場合、利用者が前記図書を予め決められている棚ではなく、間違った棚に収納しても、ＲＦＩＤシステムを利用して、その新たな位置情報にＲＦＩＤタグ、コンピュータおよび図書データベースを自動的に書換えることにより、次の図書検索に対応できるようにしたＲＦＩＤシステムを用いる図書館用電動式移動棚装置を提供しようとするものである。
【課題を解決するための手段】
【０００８】
本発明は、図書館の各図書の書誌情報と、各図書が収納されている位置情報のうち、少なくとも前記位置情報を記録したＲＦＩＤタグが各図書に取付けられると共に、該ＲＦＩＤタグにタグ情報を記録するＲＦＩＤリーダー／ライターを前記各移動棚に備え、且つ前記各移動棚の図書を載置する棚板に高周波信号を受送信するＨＦアンテナが設置され、更に、前記各図書の書誌情報および位置情報を記録したコンピュータおよび図書データベースを備えた電動式移動棚装置において、利用者が図書の返却時に間違った棚板に収納した時、該間違った棚板に収納された図書のＲＦＩＤタグに予め登録された位置情報を前記ＨＦアンテナを介してＲＦＩＤリーダー／ライターで読み取り、その位置情報をコンピュータに送信し、前記間違って収納した棚板の棚列番号および棚段番号が、前記ＲＦＩＤタグに登録された位置情報と一致しない場合、現に図書が収納されている棚列番号および棚段番号に前記コンピュータの位置情報を自動的に書換えると共に、該コンピュータから前記書換えた位置情報を図書管理システムを介して図書データベースに送信して、該図書データベースの情報を書換え、更に、前記コンピュータからＲＦＩＤリーダー／ライターおよびＨＦアンテナを介して、図書のＲＦＩＤタグの位置情報を自動的に書換えるようにするという手段を採用することにより、上記課題を解決した。
【発明の効果】
【０００９】
前記構成より成る本発明によれば、利用者が図書の返却時に間違った棚板に収納した時、該間違った棚板に収納された図書のＲＦＩＤタグに予め登録された位置情報をＨＦアンテナを介してＲＦＩＤリーダー／ライターで読み取り、その位置情報をコンピュータに送信し、前記間違って収納した棚板の棚列番号および棚段番号が、前記ＲＦＩＤタグに登録された位置情報と一致しない場合、現に図書が収納されている棚列番号および棚段番号に前記コンピュータおよび図書データベースの位置情報を自動的に書換えると共に、前記コンピュータからＲＦＩＤリーダー／ライターおよびＨＦアンテナを介して、図書のＲＦＩＤタグの位置情報を自動的に書換えることができるので、図書整理の混乱が生ずることなく、迅速に次回の図書検索に対応することができる。
【図面の簡単な説明】
【００１０】
【図１】本発明ＲＦＩＤシステムを用いる図書館における電動式移動棚装置の概略正面図である。
【図２】本発明ＲＦＩＤシステムを用いる図書館における電動式移動棚装置の棚部分の斜視図である。
【図３】図書の斜視図である。
【実施例】
【００１１】
本発明電動式移動棚装置における図書検索システムは、図１に示すように、図書管理システム１と移動棚運転制御システム２とにより構成されていると共に、該移動棚運転制御システム２は、複数の移動棚Ａ〜Ｅを備えた電動式移動棚装置Ｔと、コンピュータ３と、入力操作部、モニタを備えたタッチパネル式ディスプレイ装置４、並びに前記電動式移動棚装置Ｔの移動を制御する移動棚制御装置５とで一体的に構成されている。また、前記移動棚Ａ〜Ｅには、各々手動による運転操作スイッチ６が装着され、移動棚は運転操作スイッチ６によっても移動棚制御装置５を介して運転できるように構成されている。
【００１２】
本発明ＲＦＩＤシステムを用いる図書館における電動式移動棚装置における電動式移動棚装置Ｔは、図１に示すように、床上に敷設されたレールＲ上に移動棚Ａ〜Ｅがそれぞれ所定の配列方向に沿って配置されると共に、前記各移動棚Ａ〜Ｅが所定の配列方向に沿って前記レールＲ上を走行車輪Ｗを介して左右方向に移動可能に配置されている。
【００１３】
前記各移動棚Ａ〜Ｅのうち、両端の移動棚Ａ・Ｅは固定棚であってもよく、また壁面であってもよい。本発明の実施例においては、説明の都合上、すべてが移動棚として説明する。
【００１４】
前記各移動棚Ａ〜Ｅ間には、それぞれ相隣る移動棚間に通路１１〜１４が形成でき、図１においては、前記移動棚Ａ・Ｂ・Ｃをそれぞれ左側に移動させて密集すると共に、前記移動棚Ｄ・Ｅを右側に移動させて、通路１３部分を最大限に広く開けて出庫作業用通路として、図書の出庫作業が円滑に行われるよう形成されている。
【００１５】
前記各移動棚Ａ〜Ｅの下部には、それぞれ自走用の可逆モータＭ１〜Ｍ５が取付けられていて、それぞれ各移動棚Ａ〜Ｅの底部に軸装された走行車輪Ｗを回転させてレールＲ上を走行する。
【００１６】
一方、前記各移動棚Ａ〜Ｅに収納される各図書１５には、図書名、著者名、分類番号等の書誌情報と、該各図書１５が収納される棚列番号および棚段番号等の位置情報のうち、少なくとも前記位置情報を記録したＲＦＩＤタグ１６が取付けられると共に、前記各移動棚Ａ〜Ｅには、前記ＲＦＩＤタグ１６にタグ情報を記録するためのＲＦＩＤリーダー／ライター１７が備えられている。
【００１７】
更に、前記各移動棚Ａ〜Ｅの各図書１５を載置する各棚板１８には、前記ＲＦＩＤリーダー／ライター１７が生成した、例えば、１３．５６ＭＨｚの高周波信号を受送信して、前記ＲＦＩＤリーダー／ライター１７に送信、または該ＲＦＩＤリーダー／ライター１７からの信号を受信するＨＦアンテナ１９が設置されると共に、該ＨＦアンテナ１９は前記ＲＦＩＤリーダー／ライター１７と連結されている。なお、本発明においては、前記各ＨＦアンテナ１９は、特に限定する必要はないが、好ましくは、日本板硝子環境アメニティ株式会社の製造に係る、アンテナ形成基材にガラスを使用した「ガラスアンテナ」を、前記各棚板１８に設置することが推奨される。
【００１８】
そして、前記したように、各図書１５には、図書名、分類番号等の書誌情報と、該各図書１５が収納される棚列番号および棚段番号等の位置情報のうち、少なくとも前記位置情報を記録したＲＦＩＤタグ１６が取付けられ、更に前記コンピュータ３および図書データベース２０には、各図書１５の図書名、分類番号等の書誌情報と該各図書１５が収納される棚列番号および棚段番号等の位置情報が記録されており、且つ前記図書データベース２０は、有線または無線で前記図書管理システム１およびＲＦＩＤリーダー／ライター１７に接続されている。
【００１９】
前記のように構成された本発明装置の作用について説明する。利用者は前記図書データベース２０で、図書名、著作名、出版社名に基づいて図書１５の検索をし、次に前記検索して得られた情報をコンピュータ３と接続されたタッチパネル式ディスプレイ装置４に表示するか、あるいは前記コンピュータ３と接続されたタッチパネル式ディスプレイ装置４を用いて直接図書１５の検索をして表示する。
【００２０】
前記タッチパネル式ディスプレイ装置４に表示された情報に基づいて、図書管理システム１に接続されたコンピュータ３は図書の収納されている移動棚を探索する移動棚検索処理を行い、所望する図書が収納されている移動棚を特定し、その移動棚の棚番号をタッチパネル式ディスプレイ装置４に表示する。
【００２１】
利用者は、前記タッチパネル式ディスプレイ装置４、あるいは移動棚に設置されている運転操作スイッチ６のいずれかにより運転操作をするかの意思決定をし、該決定に基づき、前記タッチパネル式ディスプレイ装置４のタッチパネルスイッチによる運転操作、あるいは各移動棚に装着された運転操作スイッチ６による運転操作により、前記特定の移動棚の運転操作を行う。前記移動棚の運転制御は、移動棚運転制御装置５により制御され、制御プログラムに基づいて自動運転されて、図書の出庫が可能なように作業用通路が形成される。これにより、利用者は通路内に進入し、所望の図書を取り出すことができる。
【００２２】
そして、利用者が図書１５を取り出して、該図書に基づく業務をなし、該図書１５を元の棚板１８に返却する場合、前記取り出し作業と同様の操作をした後、開かれた通路に進入して前記図書１５を予め決められた棚板１８に収納する。この場合、棚板１８に返却された図書１５のＲＦＩＤタグ１６の情報をＨＦアンテナ１９を介してＲＦＩＤリーダー／ライター１７に送信して、該ＲＦＩＤリーダー／ライター１７で読み取り、その情報をコンピュータ３に送信して、前記返却した棚に正しく収納されたことを確認する。これにより、図書１５の取り出しから返却までの行程が完了する。
【００２３】
しかしながら、利用者が図書１５の返却時に間違った棚板１８に収納して、通路から離れた場合、前記間違った棚板１８に収納された図書１５のＲＦＩＤタグ１６の情報を、ＨＦアンテナ１９を介してＲＦＩＤリーダー／ライター１７で読み取り、その位置情報をコンピュータ３に送信する。
【００２４】
前記コンピュータ３に送信された位置情報が予めＲＦＩＤタグ１６に登録された位置情報と一致しない場合、現に図書が収納されている棚列番号および棚段番号に自動的に該コンピュータ３の位置情報を自動的に書換えると共に、前記位置情報がコンピュータ３から図書管理システム１を介して図書データベース２０へ送信されて、該図書データベース２０の位置情報を書換え、更に、ＲＦＩＤリーダー／ライター１７およびＨＦアンテナ１９を介して、図書のＲＦＩＤタグ１６の位置情報を自動的に書換える。これにより、利用者は次回の取り出し時にも間違えることなく、図書１５の検索をして取り出すことができる。
【００２５】
なお、本発明においては、各図書１５に取り付けられるＲＦＩＤタグ１６には、書誌情報と位置情報の両者を登録しても、本発明の目的を達成することができるが、前記のように、書誌情報と位置情報のうち少なくとも位置情報のみをＲＦＩＤタグ１６に登録しても、本発明の目的を充分達成することができる。すなわち、図書を検索するために必要な書誌情報と位置情報の両者は、前記コンピュータ３および図書データベース２０に登録されており、返却する図書の収納位置を間違えても、その間違った位置情報をＲＦＩＤタグ６からＨＦアンテナ１９を介してＲＦＩＤリーダー／ライター１７に送られて、該ＲＦＩＤリーダー／ライター１７で読み取り、その位置情報をコンピュータ３に送信して、図書データベース２０の位置情報を書換え、更に、ＲＦＩＤリーダー／ライター１７およびＨＦアンテナ１９を介して、図書のＲＦＩＤタグ１６の位置情報を自動的に書換えればよく、書誌情報を書換える必要はないからである。
【符号の説明】
【００２６】
Ｔ  電動式移動棚装置
Ａ〜Ｅ  移動棚
Ｍ１〜Ｍ５  可逆モータ
Ｗ  走行車輪
Ｒ  レール
１  図書管理システム
２  移動棚運転制御システム
３  コンピュータ
４  タッチパネル式ディスプレイ装置
５  移動棚運転制御装置
６  運転操作スイッチ
１１〜１４  通路
１５  図書
１６  ＲＦＩＤタグ
１７  ＲＦＩＤリーダー／ライター
１８  棚板
１９  ＨＦアンテナ
２０  図書データベース
【図１】
2014101170.tif 000003
【図２】
2014101170.tif 000004
【図３】
2014101170.tif 000005
【手続補正書】
【提出日】平成26年2月12日(2014.2.12)
【手続補正１】
【補正対象書類名】明細書
【補正対象項目名】０００７
【補正方法】変更
【補正の内容】
【０００７】
本発明は、前記課題を解決すべくなされたものであって、図書館の各図書の図書名、著者名、分類番号等の書誌情報と、各図書が収納されている棚列番号および棚段番号の位置情報のうち、少なくとも前記位置情報を記録したＲＦＩＤタグが各図書に取付けられると共に、該ＲＦＩＤタグにタグ情報を記録するＲＦＩＤリーダー／ライターを前記各移動棚に備え、且つ前記各移動棚の図書を載置する棚板に高周波信号を受送信するＨＦアンテナが設置され、更に、前記各図書の前記書誌情報および位置情報を記録したコンピュータおよび図書データベースを備え、利用者が移動棚から所望の図書を取り出し、該図書を用いた所定の業務の完了後、前記図書を返却すべく収納棚に収納する場合、利用者が前記図書を予め決められている棚ではなく、間違った棚に収納しても、ＲＦＩＤシステムを利用して、その新たな位置情報にＲＦＩＤタグ、コンピュータおよび図書データベースを自動的に書換えることにより、次の図書検索に対応できるようにしたＲＦＩＤシステムを用いる図書館用電動式移動棚装置を提供しようとするものである。
【手続補正２】
【補正対象書類名】明細書
【補正対象項目名】０００８
【補正方法】変更
【補正の内容】
【０００８】
本発明は、図書館の各図書の書誌情報と、各図書が収納されている移動棚の棚列番号および棚段番号の位置情報のうち、少なくとも前記位置情報を記録したＲＦＩＤタグが各図書に取付けられると共に、該ＲＦＩＤタグにタグ情報を記録するＲＦＩＤリーダー／ライターを前記各移動棚に備え、且つ前記各移動棚の図書を載置する棚板に高周波信号を受送信するＨＦアンテナが設置され、更に、前記各図書の書誌情報および位置情報を記録したコンピュータおよび図書データベースを備え、利用者が図書の返却時に間違った棚板に該図書を収納した時、該間違った棚板に収納された図書のＲＦＩＤタグに予め登録された位置情報を前記ＨＦアンテナを介してＲＦＩＤリーダー／ライターで読み取り、その位置情報をコンピュータに送信し、前記間違って収納した棚板の棚列番号および棚段番号が、前記ＲＦＩＤタグに登録された位置情報と一致しない場合、現に図書が収納されている棚列番号および棚段番号に前記コンピュータの位置情報を自動的に書換えると共に、該コンピュータから前記書換えた位置情報を図書管理システムを介して図書データベースに送信して、該図書データベースの情報を書換える電動式移動棚装置において、前記現に図書が収納されている棚列番号および棚段番号に書換えたコンピュータからＲＦＩＤリーダー／ライターおよびＨＦアンテナを介して、図書のＲＦＩＤタグの位置情報を自動的に書換えるようにするという手段を採用することにより、上記課題を解決した。
【手続補正３】
【補正対象書類名】特許請求の範囲
【補正対象項目名】全文
【補正方法】変更
【補正の内容】
【特許請求の範囲】
【請求項１】
図書館の各図書の書誌情報と、各図書が収納されている移動棚の棚列番号および棚段番号の位置情報のうち、少なくとも前記位置情報を記録したＲＦＩＤタグが各図書に取付けられると共に、該ＲＦＩＤタグにタグ情報を記録するＲＦＩＤリーダー／ライターを前記各移動棚に備え、且つ前記各移動棚の図書を載置する棚板に高周波信号を受送信するＨＦアンテナが設置され、更に、前記各図書の書誌情報および位置情報を記録したコンピュータおよび図書データベースを備え、利用者が図書の返却時に間違った棚板に該図書を収納した時、該間違った棚板に収納された図書のＲＦＩＤタグに予め登録された位置情報を前記ＨＦアンテナを介してＲＦＩＤリーダー／ライターで読み取り、その位置情報をコンピュータに送信し、前記間違って収納した棚板の棚列番号および棚段番号が、前記ＲＦＩＤタグに登録された位置情報と一致しない場合、現に図書が収納されている棚列番号および棚段番号に前記コンピュータの位置情報を自動的に書換えると共に、該コンピュータから前記書換えた位置情報を図書管理システムを介して図書データベースに送信して、該図書データベースの情報を書換える電動式移動棚装置において、前記現に図書が収納されている棚列番号および棚段番号に書換えたコンピュータからＲＦＩＤリーダー／ライターおよびＨＦアンテナを介して、図書のＲＦＩＤタグの位置情報を自動的に書換えるようにしたことを特徴とするＲＦＩＤシステムを用いる図書館における電動式移動棚装置。